(57)【要約】【課題】高輝度な光を発する光源を採用しても不快感やグレア感を抑制することができる段差部照明装置を提供する。【解決手段】光源を収容した本体に本体外部に光を放出する開口部と該開口部の周縁部から光源側に立ち上がる鍔部を設けた段差部照明装置を、階段側部の立上り壁に各段差の段鼻部を側方より照射するように仕込み、前記光源の位置を、鍔部よりも開口部から離間する位置であって、且つ、鍔部の先端と鍔部と相対する開口部の周縁部とを結んで延びる直線Ｌ１よりも開口部側となる位置とする。【選択図】図２
2010129364.tif 000002
【特許請求の範囲】
【請求項１】
１又は複数段の段差を有する階段構造の側部に立ち上がる立上り壁に仕込まれて段差の踏み面を側方より照射する段差部照明装置であって、
光源と、該光源を収容する本体とを備え、
該本体は、前記光源からの光を本体外部に放出する開口部と、該開口部の周縁部から前記光源側に立ち上がる鍔部とを備え、
前記光源は、前記鍔部よりも開口部から離間する位置であって、且つ、前記鍔部の先端と当該鍔部と相対する開口部の周縁部とを結んで延びる直線よりも開口部側となる位置に設けられている
ことを特徴とする段差部照明装置。
【請求項２】
前記鍔部の立上り長さＢは、前記鍔部の基端部と該基端部に相対する開口部の周縁との間隔ｈにより以下の式
【数１】
2010129364.tif 000005
（ただし、ｘ：段差の幅
ｙ：段差（複数段の場合は全段差）の奥行き長さ
ｚ：段差（複数段の場合は全段差）の高さ
θ：段差の下端縁（複数段の場合は最下位の段差の下端縁）をなす線分と、該下端縁の開口部とは反対側の端部と、開口部（複数段の場合は最上位の開口部）の段鼻側の略垂直辺を延ばした垂線が上記下端縁を含む平面と交差する点とを結ぶ線分とがなす角度）
に規定される大きさを有していることを特徴とする請求項１に記載の段差部照明装置。
【請求項３】
１又は複数段の段差を有する階段構造の側部に立ち上がる立上り壁に仕込まれて段差の踏み面を側方より照射する段差部照明装置であって、
光源と、該光源を収容する本体とを備え、
該本体は、前記光源に隣接して設けられて当該光源からの光を本体外部に放出する開口部を備えると共に、該光源と開口部との間に立ち上がって設けられて光源からの直接光の開口部への放出を抑制する鍔部とを備えている
ことを特徴とする段差部照明装置。
【請求項４】
前記光源と開口部の間には、当該光源からの光を反射させて開口部へと導く反射部が設けられていることを特徴とする請求項１乃至請求項３のいずれかに記載の段差部照明装置。
【請求項５】
前記反射部は、前記光源から離間する方向に膨出する凸円弧状に形成されていることを特徴とする請求項１乃至請求項４のいずれかに記載の段差部照明装置。
【請求項６】
前記開口部には、前記光源からの光を拡散又は分散させる補助導光部が設けられていることを特徴とする請求項１乃至請求項５のいずれかに記載の段差部照明装置。
【請求項７】
前記光源と開口部との間には、前記段差部の所定の被照射部以外の部分を照らす光を吸収する光吸収部が設けられていることを特徴とする請求項１乃至請求項４のいずれかに記載の段差部照明装置。
【請求項８】
１又は複数段の段差を有する階段構造の側部に設けられて当該段差の踏み面を側方より照射する段差部照明装置であって、
前記階段構造の側部に立設されると共に、段差部の側方となる位置に貫通孔を備えた立上り壁と、光源を収容すると共に当該光源からの光を本体外部に放出する開口部を備え、且つ、該開口部を前記立上り壁の裏面側から前記貫通孔に連結した状態で取り付けられる本体と、を備え、
前記光源は、前記立上り壁から離間する位置であって、且つ、光源に最も近接する貫通孔の立上り壁裏面側端縁と、当該端縁に最も離間する貫通孔の立上り壁表面側端縁とを結ぶ直線よりも立上り壁側となる位置に設けられている
ことを特徴とする段差部照明装置。
【発明の詳細な説明】
【技術分野】
【０００１】
本発明は、階段等の段差部の視認性を向上させるために設けられる段差部照明装置に関する。
【背景技術】
【０００２】
従来、住宅内の階段等の段差部での事故は非常に多く、当該事故の原因は段差部の視認性不良に基づくものであるとの指摘がある。そこで、階段の各段差部（踏み面）を照射するための足元灯が設けられる構成が提案されている。
【０００３】
例えば特許文献１及び特許文献２に開示の構成は、蹴込み板に階段照明を設置するものであり、特許文献３及び特許文献４に開示の構成は、踏み板に照明が仕込まれたものである。
【０００４】
また、昨今、足元灯として省エネルギー性の高いＬＥＤが光源として用いられている。該ＬＥＤによる光源は省エネルギーであるばかりでなく指向性が高いため、被照射部を一段と明るく照射する。
【０００５】
しかしながら、該ＬＥＤによる光源は、指向性が大きいために被照射部は高輝度となり、これによって当該光源が階段を昇降するヒト（歩行者）の視覚に対してグレア源を与える虞があり、当該光源を特許文献１及び特許文献２に開示の構成に採用すると、階段昇時に照明本体、もしくは照明により拡散された拡散部の高輝度光が視野に入り減能グレアや不快グレアとなる。特に、減能グレアとなる場合は段差部の視認性が著しく低下する虞があり、危険である。また、特許文献３及び特許文献４に開示の構成において光源にＬＥＤを採用すると、やはり光源が当該踏み板を昇降するヒトの視野に入ってしまうため、踏み板のほかの部分が見えづらくなり危険となるという問題を解消し得ない。
【０００６】
【特許文献１】特開２００２−９７７６９号公報
【特許文献２】特開２００２−３３４６１０号公報
【特許文献３】特開２００６−３３６３４７号公報
【特許文献４】特開２００７−１３４２２６号公報
【発明の開示】
【発明が解決しようとする課題】
【０００７】
本発明は、上記事情に鑑みてなされたもので、高輝度な或いは指向性の強い光を発するものを光源に採用しても、当該光源による不快グレアや減能グレアを抑制することができる段差部照明装置を提供することを目的とする。
【課題を解決するための手段】
【０００８】
上記課題解決のための具体的手段として、本願発明は、
（１）１又は複数段の段差を有する階段構造の側部に立ち上がる立上り壁に仕込まれて段差の踏み面を側方より照射する段差部照明装置であって、
光源と、該光源を収容する本体とを備え、
該本体は、前記光源からの光を本体外部に放出する開口部と、該開口部の周縁部から前記光源側に立ち上がる鍔部とを備え、
前記光源は、前記鍔部よりも開口部から離間する位置であって、且つ、前記鍔部の先端と当該鍔部と相対する開口部の周縁部とを結んで延びる直線よりも開口部側となる位置に設けられている
ことを特徴としている。
これによれば、段差部を昇降するヒトから直接光源を視認することができず、これによって、光源が視界に入ることによるグレアの発生を防止することが出来る。また、開口部から発せられる光は間接光であるため、輝度が抑えられ、これによってもグレアを抑制することができる。
【０００９】
（２）また、前記鍔部の立上り長さＢは、前記鍔部の基端部と該基端部に相対する開口部の周縁との間隔ｈにより以下の式に規定される大きさを有していることが好ましい。
【数１】
2010129364.tif 000003
（ただし、ｘ：段差の幅
ｙ：段差（複数段の場合は全段差）の奥行き長さ
ｚ：段差（複数段の場合は全段差）の高さ
θ：段差の下端縁（複数段の場合は最下位の段差の下端縁）をなす線分と、該下端縁の開口部とは反対側の端部と、開口部（複数段の場合は最上位の開口部）の段鼻側の略垂直辺を延ばした垂線が上記下端縁を含む平面と交差する点とを結ぶ線分とがなす角度）
階段構造は様々な段勾配を有するものであるが、当該階段構造に対して上述の如く開口部の前記間隔を規定することにより、当該階段構造を昇降するヒトの視界に光源が入ってしまうことを確実に抑制することができるのである。
【００１０】
（３）また、上記課題解決のための他の具体的手段として、本願発明は、
１又は複数段の段差を有する階段構造の側部に立ち上がる立上り壁に仕込まれて段差の踏み面を側方より照射する段差部照明装置であって、
光源と、該光源を収容する本体とを備え、
該本体は、前記光源に隣接して設けられて当該光源からの光を本体外部に放出する開口部を備えると共に、該光源と開口部との間に立ち上がって設けられて光源からの直接光の開口部への放出を抑制する鍔部とを備えていることを特徴としている。
これによっても、段差部を昇降するヒトの視野に光源が直接入ってしまうことを防止することができるばかりでなく、光源からの直接光の開口部からの放射も防止でき、過剰に輝度の高い光の照射による不快感をさらに低減することができる。
【００１１】
（４）また、上記構成においては、前記光源と開口部の間には、当該光源からの光を反射させて開口部へと導く反射部が設けられていることが好ましい。
これによれば、光源から発せされる光の多くを反射部を介して踏み面の所定位置に到達させることができ、当該踏み面の所定領域をより明るく照射することができる。
なお、当該踏み面の所定領域とは、出隅となって段差部のエッジ部（段鼻とも称する）及び当該エッジ部から段差部の入り隅となる蹴込みまでの所定の領域であって、エッジ部及びその近傍が最も好ましいが、段鼻から踏み面の中央部まで或いは段鼻から蹴込みまでの領域とすることも可能である。
【００１２】
（５）また、かかる光源からの光を反射させることに鑑みると、前記反射部は、前記光源から離間する方向に膨出する凸円弧状に形成されていることも同様に好ましい。
【００１３】
（６）また、前記開口部には、前記光源からの光を拡散又は分散させる補助導光部が設けられていることが好ましい。
これによると、光源からの光を拡散又は分散させることができ、より広い領域を照射することができるばかりでなく、輝度を和らげることが可能となり、これによって不快感の抑制も図ることができる。
【００１４】
（７）また、前記光源と開口部との間には、前記段差部の所定の被照射部以外の部分を照らす光を吸収する光吸収部が設けられていることが好ましい。
これにより、所望の位置のみ光源からの光を照射することができ、照射領域を特定することで輝度対比による視認性の更なる向上を図ることができるのである。
【００１５】
（８）また、上記課題解決のためのさらに他の具体的手段として、本願発明は、
１又は複数段の段差を有する階段構造の側部に設けられて当該段差の踏み面を側方より照射する段差部照明装置であって、
前記階段構造の側部に立設されると共に、段差部の側方となる位置に貫通孔を備えた立上り壁と、光源を収容すると共に当該光源からの光を本体外部に放出する開口部を備え、且つ、該開口部を前記立上り壁の裏面側から前記貫通孔に連結した状態で取り付けられる本体と、を備え、
前記光源は、前記立上り壁から離間する位置であって、且つ、光源に最も近接する貫通孔の立上り壁裏面側端縁と、当該端縁に最も離間する貫通孔の立上り壁表面側端縁とを結ぶ直線よりも立上り壁側となる位置に設けられている
ことを特徴としている。
【発明の効果】
【００１６】
本発明の段差部照明装置によれば、高輝度な或いは指向性の強い光を発するものを光源に採用しても、当該光源による不快グレアや減能グレアを抑制することができる。
【発明を実施するための最良の形態】
【００１７】
以下、図１〜図９に基づき、本発明に係る段差部照明装置を屋内階段の側壁に仕込んだ複数例の実施の形態につき、詳細に説明する。
【００１８】
図１に示す如く、本発明における階段構造１は、互いに対向して配置される一対の立上り壁２間に設けられている。各立上り壁２は、建物躯体を構成する壁本体３と、該壁本体３の表面のうち、階段構造１のやや上方となる位置までを覆う巾木４とを備えて形成されている（図２も併せて参照）。
【００１９】
階段構造１は、１階床面から２階の床面に亘って複数段（本実施形態においては１０段）の段差部５を段状に積み上げて形成されており、各段差部５は、歩行するヒトが脚を載せる踏み面を構成する踏み板部６と、上下の踏み板部６を連結する蹴込み板部７とを備えて形成されている。また、各段差部５は、踏み板部６の長さをａとすると共に上下の踏み板部６の上面間の長さとなる高さをｂとして形成されている。これにより、段差部５の段差勾配はｂ／ａとなるが、当該段差勾配は、最下位の段差部５の蹴込み板部７の下端縁と最上位の段差部５の蹴込み板部７の上端縁とを直線で結んで形成される当該階段構造１全体の段差勾配に等しい。
【００２０】
なお、以下の説明においては、一対の立上り壁２間に亘って設けられる踏み板部６の当該一対の立上り壁２間方向を踏み板部６の幅方向と称し、当該幅方向に対して平面視垂直となる方向を踏み板部６の長さ方向と称する。さらには、幅方向に対して正面視垂直となる方向を高さ方向と称することとする。
【００２１】
また、一方の立上り壁２には、階段構造１の各段差部５の踏み板部６と対向する位置に壁本体３及び巾木４を貫通する貫通孔８がそれぞれ設けられている。各貫通孔８は、各段差部５の踏み板部６の長さ方向に巾ｌ、高さ方向に高さｈとする長方形状に形成されており、当該貫通孔８の長さ方向の辺のうち、踏み板部６の先端側の辺８ａは、段差部５の踏み板部６と蹴込み板部７によって出隅状に形成される段鼻部の端縁と同一平面状に形成されており、当該貫通孔８の高さ方向の一対の辺のうち下側の辺は、段差部５の踏み板部６の側縁と平行に当該側縁と僅かな隙間を介して設けられている。
【００２２】
また、各貫通孔８には、壁本体３の裏面側から段差部照明装置１０がそれぞれ取り付けられている。
各段差部照明装置１０は、図２に示す如く、光源１１と、当該光源１１を収容した本体１２とを備えて形成されている。該本体１２は、光源１１を収容する収容部１３と、該収容部１３に連結されて光源１１からの光を導く導光部１４と、該導光部１４から導かれた光を放出する開口部１５とを備えている。
【００２３】
収容部１３は、光源１１を取り付ける懐部１６と、該懐部１６の光源から放出される光を反射する反射部１７とを備えている。
導光部１４は、反射部１７の下端部と開口部１５の下端部とを連結する平板状の底面部１８と、懐部１６の下端部と開口部１５の上端部とを連結する鍔部１９とを備えている。
また、収容部１３は、光源１１から離間する方向に膨出する凸円弧状に湾曲して形成されており、当該湾曲状に形成された収容部１３のうち、図２中に示す如く開口部１５の下端縁と鍔部１９の先端となる収容部１３側の端部とを結んで延びる直線Ｌ１に対して開口部１５側となる領域を懐部１６とすると共に残りの領域を反射部１７とされている。
【００２４】
また、光源１１は、公知の光源であればいずれのものを採用しても構わないが、ＬＥＤからなる光源が最も好ましい。当該光源１１は、いずれの部位も上記直線Ｌ１よりも反射部１７側に入り込まない状態で懐部１６に設けられている。これによって、いずれの位置から開口部１５を視認する場合であっても、光源１１が開口部１５を介して露出することが防止されることとなる。
【００２５】
ここで、開口部１５の高さに対して鍔部１９の長さを大きくすればするほど、光源１１の開口部１５からの露出を確実に防止することができると共に、本体１２内部の視認性も低下させることが可能となる一方、開口部１５を通じて照射される光が小さく弱くなり、却って段差照明効果を損なってしまうことが考えられる。そこで、本願発明者は、鍔部１９の立上り長さを開口部１５の高さとの関係により規定することを案出した。図５及び図６は、上記開口部１５と鍔部１９の関係を規定するためのモデル図である。
【００２６】
図５に示す如く、通常の姿勢でヒトと段差部照明装置１０の仰角がもっとも大きくなる場合を想定すると、ヒトが１階に起立している場合に最上位の段差部５に対して設けられる段差部照明装置１０を見上げる場合であり、これらヒトと段差部照明装置１０がかかる位置関係のときに最低限の鍔部１９の大きさを規定すれば、視認性阻害と段差照射効果の両方をバランスよく得ることが可能となる。一方、ヒトの身長は様々であるので、ここではさらに安全側に規定すべく、最下段の段差部５の下端縁であって、当該段差部照明装置１０を仕込む立上り壁２に対向する立上り壁２側の端部に視点Ａを置くこととする。
このとき、開口部１５の高さ（鍔部１９の基端部と該基端部に相対する開口部１５の周縁との間隔）ｈと鍔部１９の立上り長さＢは以下の式の如く規定される。
【数１】
2010129364.tif 000004
（ただし、ｘ：段差の幅（踏み板部の幅方向長さ）
ｙ：全段差の奥行き長さ（図１参照）
ｚ：全段差の高さ（図１参照）
θ：最下位の段差の下端縁をなす線分と、該下端縁の開口部とは反対側の端部と、最上位の開口部の段鼻側の略垂直辺を延ばした垂線が上記下端縁を含む平面と交差する点とを結ぶ線分とがなす角度（図５〜６に図示））
【００２７】
また、本体１２の外側面には、光源１１を設置する位置と相対する位置に、光源１１の配線を収容する配線収容部２０が設けられている。
また、反射部１７及び導光部１４は、光源１１からの光を反射するための反射層２１に覆われている。本実施形態においては、反射層２１は本体１２の内面にアルミニウム膜を貼着することにより形成されているが、当該内面に鍍金加工を施すことで反射層２１を形成することも可能である。また、本体１２を金属により形成する場合には、上述の如き加工を施すことなく本体１２の内面の反射部１７と導光部１４に反射層２１が形成されることとなる。
【００２８】
また、反射部１７の凸円弧曲面は、開口部１５よりも上方側が上方後方に向けて凸に形成され、その内面側が凹反射面となるものであり、当該反射部１７の凸円弧曲面の曲率を調整することにより、光源１１から放射される光を段差部５の段鼻中央部にのみ照射させることが可能である。同様に、当該反射部１７の凸円弧曲面の曲率を調整することにより、段差部５の幅方向全体に亘って一様に光を反射させることも可能である。
【００２９】
本実施形態は以上の構成からなり、本実施形態によれば、各光源１１から放射される光は各段差部５の踏み面を照明するが、光源１１は、図２において直線Ｌ１よりも開口部１５側となる位置に設けられているので、段差部５を昇降するヒトから直接これを視認することはできず、よって光源１１からの放射光がヒトの視界に直接入ることはなく、不快感の発生が抑制され、また輝度が抑えられてグレア感が抑制される。また、鍔部１９の立上り長さＢを所定の数式によって規定するように構成したので、段勾配が異なる様々な階段構造１に対しても、本発明に係る段差部照明装置１０を設置して、直接照明光が階段構造１を昇降するヒトの視界に入ることを確実に抑制することができる。
【００３０】
図７は、本願発明の第２の実施形態に係る段差部照明装置３０であって、光源３１と、該光源３１を収容する本体３２とを備え、該本体３２は、光源３１に隣接して設けられて当該光源３１からの光を本体外部に放出する開口部３３を、本体３２の上方側の部分に備えると共に、該光源３１と開口部３３との間に立ち上がって設けられて光源３１からの直接光の開口部３３への放出を抑制する鍔部３４を備えている。すなわち、前記第１の実施形態においては、図３からよく分かるように、本体１２の上部側に光源１１が設けられ、本体１２の下部側に開口部１５が設けられ、鍔部１９が光源１１と開口部３３の間に介装されていたが、本第２の実施形態では、上下が逆にされ、本体３２の下部側に光源３１が設けられ、本体３２の上部側に開口部３３が設けられ、鍔部３４が光源３１と開口部３３の間に介装されている。なお、図７中、３５は光源３１が設けられている懐部、３６は光源３１からの放出される光を開口部３３側へ反射させる反射部である。
【００３１】
このような構成の段差部照明装置３０であっても、開口部３３と光源３１の間に鍔部３４が設けられているので、光源３１は、段差部５を昇降するヒトから直接視認することはできず、よって光源３１からの放射光がヒトの視界に直接入ることはなく、不快感の発生が防止でき、また輝度が抑えられてグレアが抑制される。
【００３２】
図８は、本願発明の第３の実施形態に係る段差部照明装置４０を示すものであり、第１の実施形態と同じ構成については、同じ符号を付して説明を省略する。本実施形態にあっては、開口部１５には、鍔部１９の裏面（下方面）側に、光源１１から放出され反射部１７によって開口部１５側に反射された光を拡散させる光拡散部（第一補助導光部）４１が設けられ、開口部１５の開口面には、光拡散部４１によって散乱された光をさらに拡散させる光拡散シート（第二補助導光部）４２が取り付けられている。該光拡散部４１は、反射部１７によって反射された光を拡散できるものであれば如何なる構成のものでも構わず、また光を分散させる光分散部でも構わないが、図示例では、鍔部１９の裏面に複数の突条を形成して光を乱反射させる構成としている。また光拡散シート４２も、光が通過する開口部１５を横断して配設されて、光を拡散することができるシートであれば如何なるものでもよく、例えば透明性に優れたポリカーボネート樹脂等のシートが使用できる。また、光拡散シートに替えて、メッシュシートからなる光分散シート（第二補助導光部）４２を採用することも可能である。光源からの光がメッシュシートからなる光分散シート４２を通過することで分散され、これによって、該光に照射される照射面の輝度を抑えられることとなり、当該開口部１５を視認する場合であっても、当該開口部１５から照射される光によるグレアの発生が抑制されるのである。
【００３３】
さらに、本実施形態においては、光源１１と開口部１５の間、図示例では、導光部１４の開口部１５側の下面に、段差部５の所定の被照射部以外の部分を照らす光を吸収する光吸収部４３が設けられている。該光吸収部４３は、表面にカーボンや黒色塗料などの光吸収剤を塗布したシートを貼着して構成してもよいし、導光部１４の下面表面自体に光吸収剤を塗布した構成としたり、あるいはその該当部分を光吸収性材料で形成しても構わない。
【００３４】
このような構成の実施形態では、開口部１５の鍔部１９の裏面（下方面）側に、第一補助導光部４１が設けられ、また開口部１５の開口面にも第二補助導光部４２が設けられているので、光源１１からの光を拡散又は分散することができ、より広い領域を照射することができるばかりでなく、輝度を和らげることができ、不快感の抑制も図ることができる。また、光源１１と開口部１５との間に光吸収部４３をさらに設けたので、段差部５の所定の被照射部以外の部分を照らす光を吸収し、所望の位置のみに光源１１からの光を照射することができ、照射領域を特定して、輝度対比による視認性の更なる向上を図ることができる。
【００３５】
図９は、本願発明の第４の実施形態に係る段差部照明装置５０を示すものであり、第１の実施形態と同じ構成については、同じ符号を付して説明を省略する。本実施形態にあっては、第１の実施形態における鍔部が設けられておらず、また本体１２は、立上り壁２に形成された貫通孔８には挿入されていない。すなわち、本実施形態では、段差部照明装置の本体１２は、光源１１を収容すると共に当該光源１１からの光を本体外部に放出する開口部５１を備え、立上り壁２の段差部５の側方となる位置に貫通孔８が形成され、上記本体１２は、該貫通孔８に、その開口部５１を立上り壁２の裏面側から貫通孔８に連結した状態で取り付けられている。その結果、第１の実施形態と同様に、光源１１は、立上り壁２から離間する位置であって、且つ、光源１１に最も近接する貫通孔８の立上り壁２裏面側端縁と、当該端縁に最も離間する貫通孔８の立上り壁２表面側端縁とを結ぶ直線よりも立上り壁２側となる位置に設けられている。
かかる実施形態であっても、第１の実施形態と同様の効果を奏する。また貫通孔８に本体１２を取り付けていくだけなので、施工が容易である。
【００３６】
以上、本発明の段差部照明装置の実施形態について詳述したが、本発明は上記実施形態にのみ限定されるものではない。
例えば、本体を開口部の上下にそれぞれ光源を備える懐部を備えた形状とする構成であっても、本実施形態と同様の作用効果を奏する。また、立上り壁の貫通孔の位置は適宜変更可能であって、段差部照明装置の光源の出力や照射したい位置によって対象段差部よりも下位の段差部の上方から当該対象段差部との側方に亘って設ける構成も採用可能である。  
また、玄関と当該玄関に続く廊下との間の段差部や掃き出し窓とベランダとの間の段差部など、一段の段差部に対しても本願の段差部照明装置は採用可能である。
【図面の簡単な説明】
【００３７】
【図１】本発明に係る段差部照明装置が設けられる階段構造の概略側面図である。
【図２】本発明の第１の実施形態に係る段差部照明装置が立上り壁に取り付けられている状態を示す概略断面図である。
【図３】図２に示す段差部照明装置の概略斜視図である。
【図４】図２に示す段差部照明装置が取り付けられている状態を示す階段構造の概略斜視図である。
【図５】鍔部に係る位置を規定する式を導くための説明図である。
【図６】図５と同様の説明図である。
【図７】図３と同様の図で、本発明の第２の実施形態に係る段差部照明装置を示す図である。
【図８】図７と同様の図で、本発明の第３の実施形態に係る段差部照明装置を示す図である。
【図９】図２と同様の図で、本発明の第４の実施形態に係る段差部照明装置を示す図である。
【符号の説明】
【００３８】
１                        階段構造
２                        立上り壁
３                        壁本体
４                        巾木
５                        段差部
６                        踏み板部
７                        蹴込み板部
８                        貫通孔
８ａ                      踏み板部の先端側の辺
１０，３０，４０，５０    段差部照明装置
１１，３１                光源
１２，３２                本体
１３                      収容部
１４                      導光部
１５，３３，５１          開口部
１６，３５                懐部
１７，３６                反射部
１８                      底面部
１９，３４                鍔部
２０                      配線収容部
２１                      反射層
４１                      光拡散部又は光分散部（第一補助導光部）
４２                      光拡散シート又は光分散シート（第二補助導光部）
４３                      光吸収部
Ｌ１                      開口部下端縁と鍔部端部を結ぶ直線
ｘ                        段差の幅
ｙ                        全段差の奥行き長さ
ｚ                        全段差の高さ
θ                        段差の下端縁をなす線分と、該下端縁の開口部とは反対側の端部と、開口部の段鼻側の略垂直辺を延ばした垂線が上記下端縁を含む平面と交差する点とを結ぶ線分とがなす角度
【図１】
2010129364.tif 000006
【図２】
2010129364.tif 000007
【図３】
2010129364.tif 000008
【図４】
2010129364.tif 000009
【図５】
2010129364.tif 000010
【図６】
2010129364.tif 000011
【図７】
2010129364.tif 000012
【図８】
2010129364.tif 000013
【図９】
2010129364.tif 000014